(57)【要約】【課題】激しい動きにもズレず、背中だけでなく胸や腹からの発汗を吸収でき、外見も良好なものとする。【解決手段】吸湿性を有するシート状の前パッド部１と後パッド部２間に、左右に離隔した位置にて跨がせた肩掛け部３・３によって繋ぐ。左右の肩掛け部３・３のうちの少なくとも一方３は、その繋ぎを連結切り離し可能とする。前パッド部と後パッド部は、肩掛け部３・３を上にしたとき、その左右側にて連結切り離し可能としてもよい。肩掛け部3は紐状として、これを結ぶ或いは解くことによって連結切り離し可能としてもよい。【作用】背中だけでなく、体の前面からの発汗も吸収できる。肩掛け部３の連結を切り離し、他方を引くことで容易にシャツの上からでも抜き去ることができる。外見が良好である。【選択図】図１
0003106797.tif 000002
【実用新案登録請求の範囲】
【請求項１】
シート状の前パッド部と後パッド部の二枚を、それぞれの側縁の左右に離隔した位置にて、互いの側縁間に跨がせた肩掛け部によって繋ぎ、左右の肩掛け部のうち少なくとも一方の肩掛け部は、その繋ぎを連結切り離し可能としてなる肌着様汗吸収パッド。
【請求項２】
前パッド部と後パッド部は、肩掛け部を上にしたとき、その左右側縁にて、互いの側縁同士を連結切り離し可能にしてなる請求項１記載の肌着様汗吸収パッド。
【請求項３】
肩掛け部は、前パッド部と後パッド部にそれぞれ取付けた紐状部分から成り、それを結び或いは解くことによって連結切り離し可能としてなる請求項１記載の肌着様汗吸収パッド。
【考案の詳細な説明】
【技術分野】
【０００１】
この考案は、着衣の下にて肌に沿わし、人体の発汗による汗を吸収する汗吸収パッドに関するものであり、特に肌着のように人体の背中も胸も覆って汗を吸収するとともに、着脱も容易な肌着様汗吸収パッドに関するものである。
【背景技術】
【０００２】
人体からの発汗は、体温を維持するために必要不可欠なものであるが、そのまま放置すると汗が乾くにつれて体温が急激に低下することがあって、逆に体調に変調をきたすこともある。例えば、夏季に屋外で大量に汗をかき、その汗を吸った衣服をそのままにして、エアコンによって温度が低められた室内に入ると、室温によって汗の温度も下がり、それを放置すると汗の乾燥が遅れ、冷たい汗によって体温の大幅な低下を招き、体調を壊してしまうものである。また幼児などは、遊ぶときに大量の汗をかき、そして汗が乾ききらぬうちにそのまま昼寝などをしてしまうこともあり、このような場合に寝冷えや風邪の原因となることがあった。
【０００３】
このようなときには、汗を吸収した下着を替えればいいのであるが、通常の下着であると、それを替えるには、その上のシャツや上着を全て脱いで着替えるという作業が必要である。つまり、少なくとも上半身は裸にならなければ、着替えられないのである。社会人などの場合には、仕事場で気軽に汗を吸収した下着を替えるなどということは到底出来ない。また幼児などにあっては、昼寝し始めたときに汗を吸収した下着やシャツを替えさせようとしても、それを着替えさせようとして腕や上半身をシャツなどから抜こうとすると、折角寝ついた幼児が起きてしまうことがあって、どうしても替えられず、取り替えが遅くなって風邪を引かすなどということが起きかねない。
【０００４】
このような課題を解決するために、図６に示すような汗吸収パッドａが開発されている。図の汗吸収パッドａは、ほぼ四角形の背中当て部分ｂと、その上の折り返し襟部分ｃとによってなっている。その素材はタオル地や綿地などである。このような汗吸収パッドａを、その背中当て部分ｂをＴシャツなどのウナジ側から入れて背中に広げて添わし、折り返し襟部分ｃをウナジにて折り返すものである。背中当て部分ｂは背中から発汗する汗を吸収し、折り返し襟部分ｃは首から流れ落ちる汗を受け止めるとともに、汗吸収パッドａ自体がズリ堕ちないようにするものである。
【０００５】
図６にし示す汗吸収パッドａであると、汗を吸収したパッドａを、その折り返し襟部分ｃを摘んで引き抜けば簡単に引き抜け、汗を含んだパッドａを簡単に体から引き離すことが可能となる。再び汗吸収パッドａを背中に当てる場合は、襟首からシャツｄの下に背中当て部分ｂを挿入するだけでよく、取り替えも容易である。
【０００６】
しかしながら、図６に示すような汗吸収パッドａには、背中当て部分ｂが垂れ下がっている状態であるから、容易に位置がズレ易いということがある。つまり背中当て部分ｂは激しい運動をする幼児などであると簡単にズレでしまい、背中に大きく広げた状態を維持するのが非常に困難である。背中当て部分ｂを長めに作り、下端部をズボンなどの下に押入れてズレないようにすることも考えられるが、腰を曲げたときなどに折り返し襟部分ｃが引張られてシャツの襟首から落下してしまうということもあった。また、背中当て部分ｂは有するが、胸を覆う部分を有していないため、胸や腹などの発汗には為す術がない。また折り返し襟部分ｃが大きくウナジの下に表れるため、外観が良くなく、社会人がＹシャツなどの下にするには適さない。
【特許文献１】特開２００３−３３３９８号公報
【特許文献２】特開２００３−１９３３０１号公報
【考案の開示】
【考案が解決しようとする課題】
【０００７】
この考案が解決しようとする課題は、肌に沿わしたパッドが簡単にズレてしまうことと、胸を覆う部分が無かったことと、また外観的に良くない点である。
【課題を解決するための手段】
【０００８】
この考案は、シート状の前パッド部と後パッド部を、左右の肩掛け部で繋いだ形状とし、肌着と余り変らぬ外見であって、前パッド部と後パッド部が離間しているため、シャツなどをその上に着ていても容易に脱ぎやすくすることを最も主要な特徴とする。
【考案の効果】
【０００９】
この考案に係る肌着様汗吸収パッドは、以下の効果を得ることができる。
＊前パッド部と後パッド部を有し、胸と背中をパッド部によって覆うことが可能で、肌着のように胸や腹と背中前面からの発汗を吸収できる。
＊前パッド部と後パッド部は脇の下に当る部分で離間しているため、肩掛け部を引くことによってシャツの下から抜き去るように取り出すことが可能で、上半身裸になる必要がなく、取り替えが極めて簡単である。特に寝入った幼児などの場合は、子供を起こさずにパッドだけを抜き去るようシャツを着たままで取り出すことが可能となる。
＊左右の肩掛け部の少なくとも一方は、スナップボタンなどによって連結切り離しが可能となっており、この部分から切り離せば、シャツの下から抜き去るのはより簡単となる。左右の肩掛け部双方を連結切り離し可能とすれば、寝入った幼児の場合、左右いずれを下にして寝ていたとしても、肩掛け部を外して取り去ることができる。
＊前パッド部と後パッド部によって、ほぼ肌着やアンダーシャツのような形状を成しているため、その外観が良好で、社会人がＹシャツなどの下にて肌に沿わしても違和感なく、体裁が良い。
＊前パッド部と後パッド部の側縁同士を、スナップボタンなどによって連結切り離し可能とすることによって、より外観が良くなるとともに、パッド部がズレ難い。
＊前パッド部と後パッド部の長さを長めにして、その部分をズボンの中に入れるようにすれば、よりパッドがズレ難く、また前と後の双方をズボンの中で押さえるため、腰を曲げたりのけぞったりしてもパッド部が動き難い。
＊肩掛け部などを紐状のものにして、これを結んだり解くことにより連結切り離し可能とすれば、その体裁も良好で、タンクトップなどの下にあっても違和感が生じない。
【考案を実施するための最良の形態】
【００１０】
この考案にかかる肌着様汗吸収パッドは、汗を吸収する前パッド部と後パッド部を有している。前パッド部と後パッド部は、汗を吸収するのに好適な素材であることが必要で、綿やポリエチレンなどの化学繊維などを使用した布地、表裏二枚の綿布の間に吸湿性に優れた不織布などや天然・化学繊維などを挟んだもの、或いは吸湿に優れるとともに合成樹脂シートで補完して耐水性も向上させた紙などを使用して、使い捨てにすることも可能である。要するに、布、不織布、紙、或いはそれらの合成などによって形成したシート状のものならば広く採用可能である。
【００１１】
前パッド部と後パッド部は、それぞれの側縁同士に跨がせた肩掛け部にて繋いである。肩掛け部は、左右に離隔した位置に、二本設けてある。左右の肩掛け部のうち、少なくとも一方の肩掛け部は、連結切り離し可能となっている。連結切り離し可能とは、いずれかの部分で肩掛け部自体が切り離したり繋いだり出来たり、或いは肩掛け部とパッド部とが切り離したり繋いだり可能となることを意味している。例えば、肩掛け部の中間部で切り離しておき、スナップボタンなどによってそれを繋いだりすることが可能とすることが考えられる。或いは肩掛け部といずれかのパッド部とを切り離しておき、やはりスナップボタンのようなもので繋ぐことが出来るようにしておくことが考えられる。またボタン類の代りに、マジックテープも採用できる。肩掛け部は、左右両方とも、連結切り離し可能とすることができる。また、肩掛け部は紐状のものとしておき、前パッド部と後パッド部にそれぞれ結いつけて、結んだり解いたりすることによって連結切り離し可能としてもよい。
【００１２】
前パッド部と後パッド部は、肩掛け部を上にしたとき、その左右側端にて連結切り離し可能とすることもある。肩掛け部を両肩にかけたとき、前パッド部と後パッド部の左右側端は脇の下に位置するが、この部分でスナップボタンなどによって両端同士を繋いだり切り離したり出来るようにするものである。パッド部の側端にも、それぞれ紐を結いつけておき、それらを結んだり解くことによって連結切り離し可能にしてもよい。
【００１３】
以上のような肌着様汗吸収パッドの使用方法は、左右肩掛け部を両肩に掛け、前パッド部を胸と腹の前、後パッド部を背中に垂らす。それぞれのパッド部の下端部をズボンの下に押入れる。前パッド部と後パッド部が離隔しているため、ＹシャツやＴシャツなどを着ていても、その襟首を少し開いて前パッド部と後パッド部をシャツの前後に押入れるようにすれば。簡単に肌に沿わせることができる。側端にスナップボタンやマジックテープなどがある場合は、脇の下で前パッド部と後パッド部を合わせて連結、すなわち止める。
【００１４】
汗を吸収したパッドを取り外す場合は、左右肩掛け部の少なくとも一方の肩掛け部のスナップボタン等を外すことにより切り離し、ＹシャツやＴシャツなどを着たままで、その襟首から引き抜くように取り出せばよい。特に寝入ってしまった幼児でも、肩掛け部を切り離しを行えば、寝ている状態で引抜きが可能である。左右両肩掛け部とも連結切り離し可能であると、幼児が右或いは左のいずれの肩を下にして寝ていても、下になった方の肩掛け部を切り離せば、上になった他方の肩掛け部の方を引けば、容易に引き抜ける。
【実施例１】
【００１５】
図１〜図４に示すのは、この考案にかかる肌着様汗吸収パッドであって、その前パッド部１と後パッド部２と両肩掛け部３・３は、綿と合成繊維の混毛によって形成した薄手のタオル地状の布地によって形成してある。図２に示すのはその広げた状態の図であって、ほぼ四角形の前パッド部１と後パッド部との間に、左右に離隔した肩掛け部３・３が跨っている。一方の肩掛け部３は、その中間部において切り離されており、その切り離し部分に取付けたスナップボタン４によって、連結可能となっている。肩掛け部を上にして前パッド部と後パッド部を垂らしたとき、その側端となる部分に、それぞれスナップボタン５・５が取付けられ、連結切り離し可能となっている。
【００１６】
図１〜図４に示す肌着様汗吸収パッドに使用方法は、Ｔシャツ６を着た状態のまま、シャツ６の襟元から前パッド部１を胸側へ、後パッド部２を背中側に垂らし、肩掛け部３・３を両肩にかける。脇の下にてスナップボタン５・５によって前パッド部１と後パッド部２を連結し、両パッド部１・２の下端をズボン７の中へ押入れる。実施例では前パッド部１と後パッド部２は長めに形成されており、その下端部をズボンの中へ押入れることが出来るようになっている。また両パッド部１・２は脇の下で連結されており、前後屈などの激しい動きをしてもズレることがなく、上半身のほぼ全面からの発汗を吸収する。取り出す場合は、Ｔシャツなどの下から手を入れて、左右脇の下に位置するスナップボタン５・５を外し、肩掛け部３のスナップボタン４を外し、他方の肩掛け部３を上に引けば、Ｔシャツ６の襟元から抜き出すことができる。
【実施例２】
【００１７】
図５に示すのは、この考案にかかる肌着様汗吸収パッドの他の実施例であって、肩掛け部３・３は紐状となっており、前パッド部１と後パッド部２にそれぞれ結いつけた二本の紐から成っている。この紐を結ぶ或いは解くことによって、連結切り離し可能となっている。また両パッド部１・２の左右側端にも紐８・８がそれぞれ結いつけてあり、これらを結ぶ或いは解くことによって、連結切り離し可能となっている。このように肩掛け部３・３などが紐状であることによって外見も良好で、タンクトップなどの下にしていても体裁が悪くならない。
【図面の簡単な説明】
【００１８】
【図１】この考案にかかる肌着様汗吸収パッドを身に付けた状態の斜視図である。
【図２】肌着様汗吸収パッドの斜視図である。
【図３】肌着様汗吸収パッドを広げた状態の平面図である。
【図４】肌着様汗吸収パッドを取り去る状態の斜視図である。
【図５】肌着様汗吸収パッドの他の実施例の斜視図である。
【図６】従来の汗吸収パッドを使用している状態の斜視図である。
【符号の説明】
【００１９】
１  前パッド部
２  後パッド部
３  肩掛け部
４  スナップボタン
５  スナップボタン
６  Ｔシャツ
７  ズボン
８  紐
【図１】
0003106797.tif 000003
【図２】
0003106797.tif 000004
【図３】
0003106797.tif 000005
【図４】
0003106797.tif 000006
【図５】
0003106797.tif 000007
【図６】
0003106797.tif 000008